(57)【要約】【課題】  ２つの液晶パネルを備え、且つ小型化と生産性の向上が可能な液晶表示装置を提供する。【解決手段】  メイン液晶パネル１の走査線駆動回路１２をパネルに内蔵し、サブ液晶パネル３の走査線の駆動には走査線駆動回路１２を利用することで、走査線駆動回路を含んだＩＣの搭載が不要となるので、装置を小型化できる。また、一方の液晶パネルに走査線駆動回路を形成する必要がないので、装置の生産性を高めることができ、ひいてはコスト低減にも寄与することができる。【選択図】図１
2005202058.tif 000002
【特許請求の範囲】
【請求項１】
信号線と走査線を有するメイン液晶パネルとサブ液晶パネルを備え、前記メイン液晶パネルと前記サブ液晶パネルの前記信号線は共通の信号線駆動回路により駆動され、前記メイン液晶パネルと前記サブ液晶パネルの一方の走査線駆動回路はパネルに内蔵され、前記メイン液晶パネルと前記サブ液晶パネルの他方の前記走査線は前記走査線駆動回路の出力により駆動することを特徴とする液晶表示装置。
【請求項２】
前記メイン液晶パネルと前記サブ液晶パネルの一方はポリシリコンＴＦＴパネルであり、前記メイン液晶パネルと前記サブ液晶パネルの他方はアモルファスシリコンＴＦＴパネルであることを特徴とする請求項１記載の液晶表示装置。
【請求項３】
前記メイン液晶パネルが前記ポリシリコンＴＦＴパネルであり、前記サブ液晶パネルがアモルファスシリコンＴＦＴパネルであることを特徴とする請求項２記載の液晶表示装置。
【発明の詳細な説明】
【技術分野】
【０００１】
本発明は、２つの液晶パネルを備え、且つ小型化と生産性の向上が可能な液晶表示装置に関するものである。
【背景技術】
【０００２】
近年の携帯電話端末などには、２つの液晶パネル、つまりメイン液晶パネルとサブ液晶パネルとを備えた液晶表示装置が搭載されている。例えば、メイン液晶パネルには、電子メールの文章などが表示され、サブ液晶パネルには現在時刻などが表示されるようになっている。
【０００３】
このような液晶表示装置では、メイン液晶パネルに、信号線駆動回路、走査線駆動回路及び電源等を有するＩＣを搭載し、このＩＣで双方の液晶パネルの液晶を駆動する。
【０００４】
また、双方の液晶パネルのそれぞれに信号線駆動回路及び走査線駆動回路を形成し、液晶パネルごとに液晶を駆動するものもある。
【０００５】
２つの液晶パネルを備えた液晶表示装置は、例えば、以下の特許文献１に開示されている。
【特許文献１】特開２００３−２９５２１３号公報
【発明の開示】
【発明が解決しようとする課題】
【０００６】
しかしながら、上記ＩＣを用いた液晶駆動では、信号線駆動回路、走査線駆動回路及び電源等を全て含むＩＣを液晶パネルに搭載する必要があるので、液晶表示装置の小型化が困難となる。
【０００７】
また、双方の液晶パネルに駆動回路を形成する場合には、工程数が多くなり、生産性の向上が困難となる。これに加えて、液晶パネルに駆動回路を形成するには高価な低温ポリシリコンプロセスを用いる必要があるので、双方の液晶パネルに駆動回路を形成することはコスト高となる。
【０００８】
本発明は、上記の課題に鑑みてなされたものであり、その目的とするところは、２つの液晶パネルを備え、且つ小型化と生産性の向上が可能な液晶表示装置を提供することにある。
【課題を解決するための手段】
【０００９】
上記課題を解決するために、請求項１記載の液晶表示装置は、信号線と走査線を有するメイン液晶パネルとサブ液晶パネルを備え、前記メイン液晶パネルと前記サブ液晶パネルの前記信号線は共通の信号線駆動回路により駆動され、前記メイン液晶パネルと前記サブ液晶パネルの一方の走査線駆動回路はパネルに内蔵され、前記メイン液晶パネルと前記サブ液晶パネルの他方の前記走査線は前記走査線駆動回路の出力により駆動することを特徴とする。
【００１０】
請求項１記載の液晶表示装置によれば、一方の液晶パネルの走査線駆動回路をパネルに内蔵し、他方の液晶パネルの走査線の駆動には前記走査線駆動回路を利用することで、走査線駆動回路を含んだＩＣの搭載が不要となるので、装置を小型化でき、また、一方の液晶パネルに走査線駆動回路を形成する必要がなくなるので、装置の生産性を高めることができる。
【００１１】
また、請求項２の液晶表示装置は、請求項１記載の液晶表示装置において、前記メイン液晶パネルと前記サブ液晶パネルの一方はポリシリコンＴＦＴパネルであり、前記メイン液晶パネルと前記サブ液晶パネルの他方はアモルファスシリコンＴＦＴパネルであることを特徴とする。
【００１２】
更に、請求項３の液晶表示装置は、請求項２記載の液晶表示装置において、前記メイン液晶パネルが前記ポリシリコンＴＦＴパネルであり、前記サブ液晶パネルがアモルファスシリコンＴＦＴパネルであることを特徴とする。
【発明の効果】
【００１３】
本発明の液晶表示装置によれば、一方の液晶パネルの走査線駆動回路をパネルに内蔵し、他方の液晶パネルの走査線の駆動には前記走査線駆動回路を利用することで、走査線駆動回路を含んだＩＣの搭載が不要となるので、装置を小型化でき、また、一方の液晶パネルに走査線駆動回路を形成する必要がなくなるので、装置の生産性を高めることができ、ひいてはコスト低減にも寄与することができる。
【発明を実施するための最良の形態】
【００１４】
以下、本発明の実施の形態を図面を参照して説明する。
【００１５】
図１は、本実施の形態に係る液晶表示装置の構成図である。
【００１６】
メイン液晶パネル１は、メインＦＰＣ（flexible  printed  circuit）２に接続され、また、メイン液晶パネル１とサブ液晶パネル３がサブＦＰＣ４を介して接続されている。
【００１７】
メイン液晶パネル１とサブ液晶パネル３のそれぞれは、ガラス製のアレイ基板と対向基板とが対向配置され、アレイ基板と対向基板との間隙に液晶層が形成された構成である。
【００１８】
メイン液晶パネル１におけるアレイ基板上には、例えばＹ１本の走査線とＸ１本の信号線とが交差するように配置され、各交差部毎に画素を備えた表示領域１１と、走査線を駆動する走査線駆動回路１２とが同一の製造プロセスで一体的に形成されるとともに、各信号線を駆動する信号線駆動回路および電源を備えたＩＣ１３が搭載される。表示領域１１と走査線駆動回路１２の形成に際しては低温ポリシリコンプロセスが用いられる。
【００１９】
なお、信号線駆動回路と電源は個別にＩＣ化してもよい。また、ＩＣ１３や個別のＩＣはメインＦＰＣ２に搭載されていてもよい。
【００２０】
表示領域１１では、カラー表示を可能にするために、Ｒ（赤）、Ｇ（緑）、Ｂ（青）の３種類の画素が規則的に配置される。各画素はスイッチ素子と画素電極を備える。スイッチ素子は、例えばＭＯＳ構造の薄膜トランジスタ（ＴＦＴ：Thin Film Transistor）とすることができ、その場合には制御端子であるゲート端子が走査線に接続され、電圧供給端子であるソース端子が信号線に接続され、ドレイン端子が画素電極に接続される。このように、メイン液晶パネル１はポリシリコンＴＦＴパネルとすることができる。
【００２１】
信号線駆動回路では、ＦＰＣ２からの映像信号を信号線に供給するとともに、映像信号に同期したクロック信号と、走査線駆動回路１２による走査線の駆動をスタートさせるスタート信号と、走査線駆動回路１２の動作を有効にさせるイネーブル信号とを電源に供給する。
【００２２】
電源では、信号線駆動回路と走査線駆動回路１２に電力を供給するとともに、図示しないレベルシフト回路により、クロック信号、スタート信号及びイネーブル信号の電圧をシフトさせ、電圧をシフトされたこれらの信号を走査線駆動回路１２に供給する。
【００２３】
走査線駆動回路１２では、Ｙ１本の走査線と後述するサブ液晶パネル３のＹ２本の走査線とを合計した（Ｙ１＋Ｙ２本）の走査線毎に位相をシフトさせた走査信号を生成するシフトレジスタと、シフトレジスタの各出力を増幅して出力する（Ｙ１＋Ｙ２）個のバッファとが設けられる。この走査線駆動回路１２はイネーブル信号により有効にされ、さらにスタート信号が入力されたときに動作するようになっている。
【００２４】
対向基板は、その表面に、アレイ基板における画素電極と対向するように対向電極が形成され、その背面側には、光源としてバックライト装置が配置される。
【００２５】
上記構成としたメイン液晶パネル１では、走査線駆動回路１２のＹ１個のバッファからの走査信号を各走査線に順次供給するとともに、信号線駆動回路から映像信号を各信号線に供給すると、この走査信号が供給されたスイッチ素子がオンし、このスイッチ素子を介して映像信号が画素電極に供給される。このとき、画素電極と対向電極との間に電界が発生し、その電界によって液晶が駆動する。液晶では、映像信号の電圧値によって、バックライト装置からの光を透過する透過量が調整され、これによって、表示領域１１に映像が表示される。
【００２６】
サブ液晶パネル３におけるアレイ基板上には、Ｙ２本の走査線とＸ２本の信号線とが交差するように配置され、各交差部毎に画素を備えた表示領域３１が形成されている。表示領域３１の形成に際しては、正確かつ高速な動作が要求される駆動回路を形成する必要がないので、安価なアモルファスシリコンプロセスが用いられる。
【００２７】
表示領域３１では、Ｒ、Ｇ、Ｂの３種類の画素が規則的に配置される。また、各画素はスイッチ素子と画素電極を備える。スイッチ素子は、例えばＭＯＳ構造の薄膜トランジスタとすることができ、その場合にはゲート端子が走査線に接続され、ソース端子が信号線に接続され、ドレイン端子が画素電極に接続される。このように、サブ液晶パネル３は、アモルファスシリコンＴＦＴパネルとすることができる。
【００２８】
メイン液晶パネル１に形成されたＸ１本の信号線のうちのＸ２本が、サブＦＰＣ４を介してサブ液晶パネル３のＸ２本の信号線に接続されている。
【００２９】
例えば、サブ液晶パネル３では、メイン液晶パネル１に形成された信号線Ｘ１本の両脇から（Ｘ１−Ｘ２）／２本ずつを使用せず、真ん中のＸ２本を使用するようにすればよい。
【００３０】
上記構成としたサブ液晶パネル３では、走査線駆動回路１２の残りＹ２個のバッファからの走査信号がサブＦＰＣ４を介して各走査線に順次供給され、信号線駆動回路から映像信号がサブＦＰＣ４を介して各信号線に供給されると、この走査信号が供給されたスイッチ素子がオンし、このスイッチ素子を介して映像信号が画素電極に供給される。このとき、画素電極と対向電極との間に電界が発生し、その電界によって液晶が駆動する。液晶では、映像信号の電圧値によって、バックライト装置からの光を透過する透過量が調整され、これによって、表示領域３１に映像が表示される。
【００３１】
なお、本実施の形態では走査線駆動回路をメイン液晶パネル１に形成したが、走査線駆動回路をサブ液晶パネル３に形成してメイン液晶パネル１とサブ液晶パネル３の関係を反対にしても良い。
【００３２】
以上説明したように、本実施の形態の液晶表示装置によれば、メイン液晶パネル１の走査線駆動回路をパネルに内蔵し、サブ液晶パネル３の走査線の駆動には前記走査線駆動回路を利用することで、走査線駆動回路を含んだＩＣの搭載が不要となるので、装置を小型化でき、また、サブ液晶パネル３に走査線駆動回路を形成する必要がなくなるので、装置の生産性を高めることができる。
【図面の簡単な説明】
【００３３】
【図１】本実施の形態に係る液晶表示装置の構成図である。
【符号の説明】
【００３４】
１…メイン液晶パネル
２…メインＦＰＣ
３…サブ液晶パネル
４…サブＦＰＣ
１１、３１…表示領域
１２…走査線駆動回路
１３…ＩＣ
【図１】
2005202058.tif 000003